(57)【特許請求の範囲】
【請求項１】
送信した送信所の位置情報を含む放送に関する情報が多重化された放送電波を受信する受信機であって、
前記放送電波を受信する受信手段と、
表示素子と、
前記表示素子に地図を表示するようにする地図表示制御手段と、
受信周波数を順次に変更して、受信可能な放送電波の全てを順次に受信するように前記受信手段を制御するスキャニング制御手段と、
前記受信手段により順次に受信される前記放送電波から、前記放送に関する情報を抽出する情報抽出手段と、
前記表示素子に表示された前記地図上において、前記情報抽出手段により抽出された前記放送に関する情報中の前記位置情報に応じて決まる位置に、前記放送電波に関連する関連情報を表示する関連情報表示制御手段と
を備えることを特徴とする受信機。
【請求項２】
前記受信手段により受信された前記放送電波の選局情報と、前記地図上に表示された前記関連情報の表示位置とを対応付けてメモリに格納する情報格納手段と、
前記表示素子に表示された前記地図上の位置を指示する使用者からの指示入力を受け付ける指示入力受付手段と、
前記指示入力受付手段を通じて指示された前記地図情報上の位置に対応する選局情報を前記メモリから読み出し、読み出した前記選局情報に基づいて、放送電波を選局するようにする選局制御手段と
を備えることを特徴とする請求項１に記載の受信機。
【請求項３】
人口衛星からの電波を受信することにより自己の現在位置を測位する測位手段を備え、
前記地図表示制御手段は、前記測位手段からの前記現在位置の供給を受けて、前記現在位置を含む地図を前記表示素子に表示することを特徴とする請求項１または請求項２に記載の受信機。
【請求項４】
前記関連情報表示制御手段は、前記放送電波の送信所の位置を示すマークを前記位置情報に応じて決まる前記地図上の位置に表示するようにすることを特徴とする請求項１、請求項２または請求項３に記載の受信機。
【請求項５】
前記放送電波の前記放送に関する情報には、前記放送電波の放送局名が含まれるようにされており、
前記関連情報表示制御手段は、前記情報抽出手段により抽出される前記放送に関する情報の前記放送局名についての表示を前記位置情報に応じて決まる前記地図上の位置に行うようにすることを特徴とする請求項１、請求項２、請求項３または請求項４に記載の受信機。
【請求項６】
前記放送電波には、複数の放送番組が多重化され、前記放送電波の前記放送に関する情報には、多重化されている複数の前記放送番組のそれぞれについて、特定の地域を対象とする地域番組か否かを識別するための識別情報が含まれるようにされており、
前記情報抽出手段により抽出された前記放送に関する情報中の前記識別情報に基づいて、複数の前記放送番組のそれぞれについて、地域番組か否かを判別する判別手段を備え、
前記関連情報表示制御手段は、前記判別手段が地域番組であると判別した放送番組があるときには、受信した前記放送電波により地域番組が放送されていることを示す表示を前記位置情報に応じて決まる前記地図上の位置に行うようにすることを特徴とする請求項１、請求項２、請求項３、請求項４または請求項５に記載の受信機。
【請求項７】
前記放送電波には、複数の放送番組が多重化され、前記放送電波の前記放送に関する情報には、多重化されている複数の前記放送番組のそれぞれの番組名と、多重化されている複数の前記放送番組のそれぞれについて、特定の地域を対象とする地域番組か否かを識別するための識別情報が含まれるようにされており、
前記情報抽出手段により抽出された前記放送に関する情報の前記識別情報に基づいて、複数の前記放送番組のそれぞれについて、地域番組か否かを判別する判別手段を備え、
前記関連情報表示制御手段は、前記判別手段により地域番組であると判別された番組の前記番組名についての表示を前記位置情報に応じて決まる前記地図上の位置に行うようにすることを特徴とする請求項１、請求項２、請求項３、請求項４または請求項５に記載の受信機。
【請求項８】
前記情報記録手段は、前記判別手段により地域番組であると判別された番組を放送している放送電波の選局情報と、当該地域番組を選択するための選択情報と、前記番組名についての表示の前記地図上においての表示位置とを対応付けて、前記メモリに記憶することができるものであり、
前記選局制御手段は、前記指示入力受付手段を通じて、前記地図上に表示された前記番組名についての表示位置が使用者により指示されたときには、指示された前記地図情報上の位置に対応する前記選局情報と前記選択情報とを前記メモリから読み出し、読み出した前記選局情報に基づいて、目的とする放送電波を選局するとともに、読み出した前記選択情報に基づいて、目的とする番組を選択することを特徴とする請求項７に記載の受信機。
【請求項９】
前記放送電波の前記放送に関する情報には、番組選択情報によって特定される各放送番組毎のサービスエリアを示すエリア情報が含まれるようにされており、  前記関連情報表示制御手段は、前記情報抽出手段により抽出された前記放送に関する情報の前記エリア情報に基づいて、前記表示素子に表示された地図情報上に、前記地域番組のサービスエリアを表示するようにすることを特徴とする請求項６、請求項７または請求項８に記載の受信機。
【請求項１０】
前記放送電波の前記放送に関する情報には、前記サービスエリアに対応するエリア名称が含まれるようにされており、
前記関連情報表示制御手段は、前記情報抽出手段により抽出された前記放送に関する情報の前記エリア名称を前記表示素子に表示されている前記地図情報上に表示するようにすることを特徴とする請求項６、請求項７、請求項８または請求項９に記載の受信機。
【発明の詳細な説明】
【０００１】
【発明の属する技術分野】
この発明は、例えば、ＤＡＢ（Ｄｉｇｉｔａｌ  Ａｕｄｉｏ  Ｂｒｏａｄｃａｓｔｉｎｇ）と呼ばれるデジタルオーディオ放送などの放送電波を受信する受信機に関する。
【０００２】
【従来の技術】
ラジオ受信機においては、簡単な操作で放送電波を選局できるようにする工夫がなされている。例えば、各放送局に割り当てられている周波数情報を、ラジオ受信機に設けられている例えば選局ボタンスイッチに対応させて予めメモリに記憶させておく。
【０００３】
そして、ラジオ受信機の使用者により選局ボタンスイッチが押下されたときには、押下された選局ボタンスイッチに割り当てられている周波数情報をメモリから読み出し、読み出した周波数情報に基づいて、目的とする放送局の放送電波を選局するとともに、選局した放送電波の周波数情報をラジオ受信機のＬＣＤ（液晶ディスプレイ）に表示するなどのことが行われている。
【０００４】
このように、各放送局に割り当てられている周波数情報などを、予めラジオ受信機に登録してしまえば、その後においては、選局ボタンスイッチを押下するという簡単な操作で目的とする放送局からの放送電波を受信選局し、聴取することができるようにされている。
【０００５】
【発明が解決しようとする課題】
ところが、前述のように、放送局に割り当てられている周波数などが予めメモリに登録されていない場合には、例えば、チューニングダイヤルを回動操作するなどして、受信選局可能な放送電波を探し出さなければならない。このため、例えば、車載用ラジオ受信機や携帯用ラジオ受信機のように、ラジオ受信機の受信位置がいつも一定でない場合には不都合が生じる。
【０００６】
例えば、ラジオ放送には、広域なエリアを対象とする広域放送と、ある特定の地域のみを対象とする地域放送とがある。例えば、交通情報や特定の地域のみに有効な情報は、地域放送により提供されることが多い。そして、自動車にて移動中に通りかかった地域の交通情報を聴取しようとしても、交通情報を放送している放送局の周波数が分からないために、その地域の交通情報を簡単に聴取することができないということが発生する。
【０００７】
特定の地域と、その地域で受信可能な放送電波の放送を行っている放送局に割り当てられている周波数などが既知でない場合には、目的とする地域番組を簡単な操作で、迅速かつ正確に選局することは難しい。
【０００８】
以上のことにかんがみ、この発明は、受信可能な放送電波を明確に使用者に通知し、簡単な操作で、迅速かつ正確に目的とする放送電波の選局、放送番組の選択をすることができる受信機を提供することを目的とする。
【０００９】
【課題を解決するための手段】
上記課題を解決するため、この発明による請求項１に記載の受信機は、
送信した送信所の位置情報を含む放送に関する情報が多重化された放送電波を受信する受信機であって、
前記放送電波を受信する受信手段と、
表示素子と、
前記表示素子に地図を表示するようにする地図表示制御手段と、
受信周波数を順次に変更して、受信可能な放送電波の全てを順次に受信するように前記受信手段を制御するスキャニング制御手段と、
前記受信手段により順次に受信される前記放送電波から、前記放送に関する情報を抽出する情報抽出手段と、
前記表示素子に表示された前記地図上において、前記情報抽出手段により抽出された前記放送に関する情報中の前記位置情報に応じて決まる位置に、前記放送電波に関連する関連情報を表示する関連情報表示制御手段と
を備えることを特徴とする。
【００１０】
この請求項１に記載の受信機によれば、受信手段により受信された放送電波に含まれる放送に関する情報が、情報抽出手段により抽出される。この放送に関する情報には、受信手段により受信した放送電波を送信した送信所の位置を特定するための位置情報が含まれており、この位置情報に応じて決まる表示素子に表示された地図の位置に、受信した放送電波に関連する関連情報が地図に重ねて表示される。
【００１１】
これにより、表示素子に表示された地図に重ねて表示される放送電波に関連する関連情報に基づいて、目的とする放送電波がどこから送信されているかなどを視覚を通じて認識し、これを選局時などにおいて利用することができるようにされる。
【００１２】
また、請求項２に記載の発明の受信機は、請求項１に記載の受信機であって、
前記受信手段により受信された前記放送電波の選局情報と、前記地図上に表示された前記関連情報の表示位置とを対応付けてメモリに格納する情報格納手段と、
前記表示素子に表示された前記地図上の位置を指示する使用者からの指示入力を受け付ける指示入力受付手段と、
前記指示入力受付手段を通じて指示された前記地図情報上の位置に対応する選局情報を前記メモリから読み出し、読み出した前記選局情報に基づいて、放送電波を選局するようにする選局制御手段と
を備えることを特徴とする。
【００１３】
この請求項２に記載の受信機によれば、受信手段により受信された放送電波の選局情報と、表示素子に表示されている地図上においての当該放送電波に関連する関連情報の表示位置とは、対応付けられて情報格納手段によりメモリに格納される。
【００１４】
例えば、受信開始時や、使用者からの指示に応じて、現在位置において受信可能な放送電波がスキャニングするようにされ、受信可能な複数の放送電波に関連する関連情報が表示素子に表示された地図上に重ねて表示するようにされるとともに、それらの関連情報の表示位置と、選局情報とが対応付けられて、メモリに格納される。
【００１５】
そして、表示素子に表示された地図上の位置を指示する使用者からの指示入力が、指示入力受付手段を通じて受け付けられると、表示された地図上において指示された位置の関連情報に対応する放送電波の選局情報がメモリから読み出され、読み出された選局情報に応じて、選局制御手段により、目的とする放送電波が自動選局するようにされる。
【００１６】
これにより、使用者は、表示素子に表示された地図および放送電波に関連する関連情報とに基づいて、視覚を通じて目的とする放送電波を定め、その目的とする放送電波を選局して、その放送電波により提供される放送番組を聴取するようにすることができるようにされる。つまり、受信可能な放送電波の周波数などを使用者が知らなくても、表示素子に表示された表示情報に基づいて、目的とする放送電波を自動的に選局することができるようにされる。
【００１７】
また、この発明による請求項３に記載の受信機は、請求項１または請求項２に記載の受信機であって、
人口衛星からの電波を受信することにより自己の現在位置を測位する測位手段を備え、
前記地図表示制御手段は、前記測位手段からの前記現在位置の供給を受けて、前記現在位置を含む地図を前記表示素子に表示することを特徴とする。
【００１８】
この請求項３に記載の受信機によれば、測位手段としてＧＰＳ（ＧｌｏｂａｌＰｏｓｉｔｉｏｎｉｎｇ  Ｓｙｓｔｅｍ）を備えており、自己の現在位置を正確に測位し、測位した現在位置を含む地図が、地図表示制御手段により表示素子に表示するようにされる。
【００１９】
これにより、例えば、車載用の受信機であって、比較的広範囲に移動するような場合にも、現在位置において受信可能な放送電波を知り、目的とする放送電波を選局するようにすることができる。したがって、移動先において、受信可能な放送電波の周波数情報などをまったく知らなくても、受信可能な放送電波を簡単な操作で、しかも迅速かつ正確に目的とする放送電波を選局することができるようにされる。
【００２０】
また、この発明による請求項４に記載の受信機は、請求項１、請求項２または請求項３に記載の受信機であって、
前記関連情報表示制御手段は、前記放送電波の送信所の位置を示すマークを前記位置情報に応じて決まる前記地図上の位置に表示するようにすることを特徴とする。
【００２１】
この請求項４に記載の受信機によれば、受信した放送電波の送信所の位置を示すマークが、関連情報表示制御手段により、情報抽出手段により受信した放送電波から抽出される位置情報に応じた地図上の位置に表示するようにされる。
【００２２】
これにより、表示素子に表示された地図上に重ね合わせて表示するようにされる送信所の位置に基づいて、視覚を通じて目的とする放送電波を選択できるようにされる。
【００２３】
また、この発明による請求項５に記載の受信機は、請求項１、請求項２、請求項３または請求項４に記載の受信機であって、
前記放送電波の前記放送に関する情報には、前記放送電波の放送局名が含まれるようにされており、
前記関連情報表示制御手段は、前記情報抽出手段により抽出される前記放送に関する情報の前記放送局名についての表示を前記位置情報に応じて決まる前記地図上の位置に行うようにすることを特徴とする。
【００２４】
この請求項５に記載の受信機によれば、放送電波の放送局名が、放送に関する情報に含められて伝送するようにされており、この放送局名についての表示が、関連情報表示制御手段により、情報抽出手段により受信した放送電波から抽出される位置情報に応じた地図上の位置に表示するようにされる。
【００２５】
これにより、放送電波の送信所の位置と、その送信所から送信される放送電波の放送局名についての表示とに基づいて、視覚を通じて目的とする放送電波を選択することができるようにされる。
【００２６】
また、この発明による請求項６に記載の受信機は、請求項１、請求項２、請求項３、請求項４または請求項５に記載の受信機であって、
前記放送電波には、複数の放送番組が多重化され、前記放送電波の前記放送に関する情報には、多重化されている複数の前記放送番組のそれぞれについて、特定の地域を対象とする地域番組か否かを識別するための識別情報が含まれるようにされており、
前記情報抽出手段により抽出された前記放送に関する情報中の前記識別情報に基づいて、複数の前記放送番組のそれぞれについて、地域番組か否かを判別する判別手段を備え、
前記関連情報表示制御手段は、前記判別手段が地域番組であると判別した放送番組があるときには、受信した前記放送電波により地域番組が放送されていることを示す表示を前記位置情報に応じて決まる前記地図上の位置に行うようにすることを特徴とする。
【００２７】
この請求項６に記載の受信機によれば、前記放送電波の前記放送に関する情報には、当該放送電波に多重化されている複数の放送番組のそれぞれについて、特定の地域を対象とする地域番組であるか否かを識別する識別情報が含められて伝送するようにされており、この識別情報に基づいて、判別手段により地域番組が放送されているか否かが判別される。
【００２８】
そして、地域番組が放送されていると判別されたときには、関連情報表示制御手段により、受信した放送電波により地域番組が放送されていることを示す表示が、受信した放送電波から抽出される放送に関する情報の位置情報に応じた地図上の位置に表示するようにされる。
【００２９】
これにより、例えば、交通情報などの特定の地域を対象とする地域番組を放送している放送電波を視覚を通じて認識し、目的とする地域の地域番組を簡単かつ迅速に選択することができるようにされる。したがって、受信機が自動車に搭載された場合や、携帯用として持ち歩かれる場合などにおいて、移動先の地域においての地域番組を確実に聴取することができるようにされる。
【００３０】
また、この発明による請求項７に記載の受信機は、請求項１、請求項２、請求項３、請求項４または請求項５に記載の受信機であって、
前記放送電波には、複数の放送番組が多重化され、前記放送電波の前記放送に関する情報には、多重化されている複数の前記放送番組のそれぞれの番組名と、多重化されている複数の前記放送番組のそれぞれについて、特定の地域を対象とする地域番組か否かを識別するための識別情報が含まれるようにされており、
前記情報抽出手段により抽出された前記放送に関する情報の前記識別情報に基づいて、複数の前記放送番組のそれぞれについて、地域番組か否かを判別する判別手段を備え、
前記関連情報表示制御手段は、前記判別手段により地域番組であると判別された番組の前記番組名についての表示を前記位置情報に応じて決まる前記地図上の位置に行うようにすることを特徴とする。
【００３１】
この請求項７に記載の受信機によれば、判別手段に地域番組であると判別された番組の番組名についての表示が、表示素子に表示された地図上において、放送電波から抽出される位置情報に応じて決められる位置に表示される。
【００３２】
これにより、どこの送信所から送信するようにされている放送電波により何という地域番組が放送されているかを間違えることなく確実にユーザに通知することができる。
【００３３】
また、請求項８に記載の受信機は、請求項７に記載の受信機であって、
前記情報記録手段は、前記判別手段により地域番組であると判別された番組を放送している放送電波の選局情報と、当該地域番組を選択するための選択情報と、前記番組名についての表示の前記地図上においての表示位置とを対応付けて、前記メモリに記憶することができるものであり、
前記選局制御手段は、前記指示入力受付手段を通じて、前記地図上に表示された前記番組名についての表示位置が使用者により指示されたときには、指示された前記地図情報上の位置に対応する前記選局情報と前記選択情報とを前記メモリから読み出し、読み出した前記選局情報に基づいて、目的とする放送電波を選局するとともに、読み出した前記選択情報に基づいて、目的とする番組を選択することを特徴とする。
【００３４】
この請求項８に記載の受信機によれば、地域番組の番組名についての表示が表示されている地図上の位置を使用者が指示入力受付手段を通じて指示すると、地域番組の番組名についての表示の表示位置と対応付けられてメモリに格納されている選局情報、選択情報が読み出され、これらの情報に応じて、地域番組を放送している放送電波が選局され、目的とする地域番組を自動的に選択して聴取可能にするようにされる。
【００３５】
これにより、目的とする地域の地域番組を簡単な操作で、確実に選択し聴取することができるようにされる。したがって、受信機が自動車に搭載された場合や、携帯として持ち歩かれる場合などにおいて、移動先の地域においての地域番組をより簡単かつ確実に聴取することができるようにされる。
【００３６】
また、この発明による請求項９に記載の受信機は、請求項６、請求項７または請求項８に記載の受信機であって、
前記放送電波の前記放送に関する情報には、番組選択情報によって特定される各放送番組毎のサービスエリアを示すエリア情報が含まれるようにされており、
前記関連情報表示制御手段は、前記情報抽出手段により抽出された前記放送に関する情報の前記エリア情報に基づいて、前記表示素子に表示された地図情報上に、前記地域番組のサービスエリアを表示するようにすることを特徴とする。
【００３７】
この請求項９に記載の受信機によれば、受信した放送電波から受信可能エリアを示すエリア情報が抽出され、このエリア情報に基づいて、表示素子に表示されている地図に重ねて、地域番組が対象とする特定の地域、すなわち地域番組のサービスエリアが示されるようにされる。
【００３８】
これにより、受信した放送電波により地域放送が行われている場合には、その地域放送はどの地域までを対象とする地域番組であるかを使用者に対して明確に通知することができるようにされ、使用者は、目的とする地域の地域番組を確実に選択して聴取することができるようにされる。
【００３９】
また、この発明による請求項１０に記載の受信機は、請求項６、請求項７、請求項８または請求項９に記載の受信機であって、
前記放送電波の前記放送に関する情報には、前記受信可能エリアに対応するエリア名称が含まれるようにされており、
前記関連情報表示制御手段は、前記情報抽出手段により抽出された前記放送に関する情報の前記エリア名称を前記表示素子に表示されている前記地図情報上に表示するようにすることを特徴とする。
【００４０】
この請求項１０に記載の受信機によれば、受信可能エリアに対応するエリア名称が、放送電波から抽出され、表示素子に表示された地図上に表示するようにされる。これにより、より明確に、各送信所から送信される放送電波の受信可能エリアを使用者に対して通知することができるようにされる。
【００４１】
【発明の実施の形態】
以下、図を参照しながら、この発明による受信機の一実施の形態について説明する。以下に説明する実施の形態においては、ＤＡＢ（Ｄｉｇｉｔａｌ  Ａｕｄｉｏ  Ｂｒｏａｄｃａｓｔ）と呼ばれる欧州規格（Ｅｕｒｅｋａ１４７）のデジタルオーディオ放送を受信する車載用の受信機に、この発明を適用したものとして説明する。
【００４２】
図１は、この実施の形態の受信機を説明するためのブロック図であり、図２は、この実施の形態の受信機の外観を説明するための図である。図１に示すように、この実施の形態の受信機は、大きく分けると、受信装置部１０、ナビゲーション装置部２０、表示装置部３０とからなっている。
【００４３】
受信装置部１０は、図１に示すように、アンテナ１１、チューナ部１２、Ａ／Ｄ変換部１３、ＦＦＴ（高速フーリエ変換）部１４、ビタビデコード部１５、ＭＰＥＧデコード部１６、Ｄ／Ａ変換部１７、スピーカ１８、コントロール部１９を備えたものである。コントロール部１９は、ＣＰＵ１９１、ＲＯＭ１９２、ＲＡＭ１９３を備えたマイクロコンピュータであり、この実施の形態の受信機の各部を制御するものである。
【００４４】
そして、受信部１０は、ＤＡＢの放送電波を受信選局し、受信した放送電波に多重化されて提供される複数の放送番組の中から使用者（ユーザ）により選択された放送番組を抽出して復調し、選択された放送番組を聴取可能にする。
【００４５】
ナビゲーション装置部２０は、現在位置の測位手段としてＧＰＳ２２１を有する地図情報表示コントロール部２２を備え、後述する表示装置部３０のＬＣＤ３１に、現在位置を含む地図情報を表示するとともに、自己の現在位置をも表示して、いわゆる道案内を行うようにするものである。ナビゲーション装置部２０に装填されるＣＤ−ＲＯＭ１００は、地図情報が記録されたものである。
【００４６】
そして、表示装置部３０は、図２に示すように、比較的大きな表示画面３１Ｄを有するＬＣＤ（液晶ディスプレイ）３１を備えたものであり、ＬＣＤ３１の表示画面３１Ｄに地図情報や、詳しくは後述するが、受信したＤＡＢの放送電波を送信している送信局の位置を示す表示などが表示するようにされる。
【００４７】
また、ＬＣＤ３１の表示画面３１Ｄの全面には、タッチパネル３１Ｔが貼付されている。このタッチパネル３１Ｔは、座標検出部３２と協働して、ユーザからの指示入力を受け付ける指示入力受付手段として機能するものであり、ユーザに指示された表示画面３１Ｄ上の位置を座標データとして取り込みコントロール部１９に供給することができるようにされている。
【００４８】
そして、この実施の形態の受信機により受信されるＤＡＢは、複数の放送番組のオーディオデータや各種の制御情報や付加情報を多重化して形成した放送電波（アンサンブル信号）を送信する。この場合、オーディオデータは、国際標準方式であるＭＰＥＧオーディオ方式を用いて高能率符号化（データ圧縮）され、誤り訂正の畳み込み符号化などを用いた伝送路符号化が行われたものである。
【００４９】
そして、符号化されたオーディオデータなどのビット列はインターリーブされるとともに、直交周波数分割多重変調（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘ変調）されて送信するようにされている。
【００５０】
図３は、ＤＡＢの放送電波のフレーム構造を説明するための図である。図３に示すように、ＤＡＢの放送電波の各フレームは、ヌルシンボル、同期用シンボル、ＦＩＣ（ファーストインフォメーションチャンネル）、ＭＳＣ（メインサービスチャンネル）からなっている。
【００５１】
図３に示すように、同期用シンボルは２シンボル用意されている。このうちヌルシンボルの区間には、送信所識別情報（ＴＩＩ：Ｔｒａｎｓｍｉｔｔｅｒ  Ｉｄｅｎｔｉｆｉｃａｔｉｏｎ  Ｉｎｆｏｍａｔｉｏｎ）が、複数本のキャリアを用いて挿入されている。
【００５２】
また、ＦＩＣは、３シンボル（ブロック１〜ブロック３）用意されており、放送に関する情報として様々な情報を伝送することができるようにされている。例えば、放送番組の多重化の配列、放送局名（アンサンブルラベル）や番組名（プログラムラベル）などのラベル、放送番組の種類を示す情報、特定の地域に対して放送するようにされる地域番組か否かを識別するための地域番組識別情報、放送電波の送信所の位置を特定するための後述するＴＩＩのデータベースや、放送番組のサービスエリアに関する情報などが、ＦＩＣにより伝送するようにされる。
【００５３】
これらの多数の情報は、複数フレームのＦＩＣによって伝送するようにされる。したがって、重要度の高い情報は、頻繁に伝送するようにされたり、逆に重要度の低い情報は、少しずつ時間をかけて伝送するようにされる。そして、放送番組以外の前述したような付加情報や制御情報は、２分間ですべての付加情報、制御情報が伝送するようにされる。
【００５４】
また、ＭＳＣは、図３に示すように、多重化された複数の放送番組のデータフィールド１〜ｎを有するようにされている。すなわち、ＤＡＢの放送電波に多重化された複数のオーディオデータなどが、このＭＳＣの各データフィールド１〜ｎのデータである。
【００５５】
そして、ＤＡＢの受信機においては、前述したＦＩＣに含まれる放送番組を識別する情報や多重化に関する情報とを用いることによって、複数の放送番組が多重化されているＤＡＢの放送電波から、使用者からの指示に応じた放送番組を抽出し、再生して聴取することができるようにされる。
【００５６】
このように、複数の放送番組や各種の付加情報、制御情報が多重化するようにされたＤＡＢの放送電波を受信する、図１に示したこの実施の形態の受信機は、以下のように動作する。
【００５７】
アンテナ１１により受信されたＤＡＢの放送電波は、チューナ部１２に供給される。チューナ部１２は、選局部、中間周波変換部、直交復調部などを備えており、コントロール部１９から供給された選局制御信号に基づいて、ＤＡＢの放送電波を選局し、選局した放送電波を中間周波信号に変換する。そして、中間周波信号から、ベースバンド信号のＩ成分およびＱ成分の信号を復調し、これをＡ／Ｄ変換部１３に供給する。
【００５８】
Ａ／Ｄ変換部１３は、チューナ部１２からのＩ成分およびＱ成分のアナログ信号をデジタル信号に変換し、これをＦＦＴ部１４に供給する。ＦＦＴ部１４は、デジタル化されたＩ成分およびＱ成分の信号をＯＦＤＭ復調し、復調して得たＤＡＢの信号（アンサンブル信号）をビタビデコード部１５に供給する。
【００５９】
また、ＦＦＴ部１４においては、ＤＡＢの放送電波の各フレームのヌルシンボル区間をサンプリングし、ＦＦＴ演算を行うことにより、この区間に挿入されているキャリアを検出し、これをコントロール部１９に供給する。コントロール部１９は、ＦＦＴ部１４からのキャリアを生成方程式およびパターンテーブルを用いて、パターン番号、櫛番号（Ｃｏｍｂ  Ｎｏ）に変換する。これが受信したＤＡＢの放送電波を送信している送信所の送信所識別情報（ＴＩＩ）となる。このパターン番号はメインＩＤ（ＭａｉｎＩＤ）と呼ばれ、櫛番号はサブＩＤ（ＳｕｂＩＤ）と呼ばれる。
【００６０】
このように、コントロール部１９は、選局したＤＡＢの放送電波のヌルシンボル区間に挿入されている複数本のキャリアのパターンに応じて、受信選局したＤＡＢの放送電波を送信している送信所の送信所識別情報を検出することができるようにされている。
【００６１】
一方、ビタビデコード部１５は、ビタビデコード処理を行って、元のＤＡＢの信号を復元する。復元したＤＡＢの信号のうち、ＦＩＣ部分のデータは、コントロール部１９に供給される。そして、後述もするように、使用者からの選択指示に応じた選択制御信号が、コントロール部１９からビタビデコード部１５に供給するようにされ、ＤＡＢの信号に多重化されている複数の放送番組のうち、選択制御信号によって指示された放送番組のオーディオデータが抽出され、これがＭＰＥＧデコード部１６に供給される。
【００６２】
ＭＰＥＧデコード部１６は、ＭＰＥＧ圧縮されているオーディオデータを伸長し、これをＤ／Ａ変換部１７に供給する。Ｄ／Ａ変換部１７は、供給されたデジタルオーディオ信号をアナログ信号に変換し、これをスピーカ１８に供給する。これにより、ＤＡＢの放送電波から目的とする放送番組を抽出し聴取することができるようにされる。
【００６３】
そして、ＤＡＢの場合、複数の送信所識別情報と、各送信所識別情報によって特定される送信所の位置情報とを対応づけたデータベース（ＴＩＩのデータベース）がＦＩＣによって伝送するようにされている。したがって、ＦＩＣによって伝送されてくるＴＩＩのデータベースから、前述したように、コントロール部１９において検出した送信所識別情報に対応する位置情報を検出すれば、受信選局した放送電波を送信している送信所の位置を特定することができる。
【００６４】
図４は、ＦＩＣによって伝送されてくるＴＩＩのデータベースのフォーマットを説明するための図である。なお、図４に記載したＦＩＧ−０−２２は、Ｅｕｒｅｋａ１４７においてのデータフォーマットのタイプ番号である。そして、ＴＩＩのデータベースを送信するようにする場合には、ＦＩＣは、図４Ａに示すように、メイン送信所の位置を示すデータ（図４Ｂ）、または、サブ送信所の位置を示すデータ（図４Ｃ）を送信するために複数の区間に区切られる。
【００６５】
メイン送信所の位置を示すデータか、サブ送信所の位置を示すデータかは、ＦＩＣの各区切られた区間の先頭のＭ／Ｓ（Ｍａｉｎ／Ｓｕｂ）フラグによって示され、Ｍ／Ｓフラグが「０」であれば、メイン送信所の位置を示すデータであり、Ｍ／Ｓフラグが、「１」であれば、サブ送信所の位置を示すデータである。
【００６６】
そして、図４Ｂに示すように、メイン送信所の位置を示すデータは、メインＩＤ、粗めに表現された緯度情報（Ｌａｔｌｔｕｄｅ  ｃｏａｒｓｅ）、粗めに表現された経度情報（Ｌｏｎｇｉｔｕｄｅ  ｃｏａｒｓｅ）、詳細に表現された緯度情報（Ｌａｔｌｔｕｄｅ  ｆｉｎｅ）、詳細に表現された経度情報（Ｌｏｎｇｉｔｕｄｅ  ｆｉｎｅ）からなっている。
【００６７】
そして、粗めに表現された緯度情報と詳細に表現された緯度情報とをたし合わせるなどの演算を行うことにより、メイン送信所の正確な緯度を得ることができるようにされる。同様に、粗めに表現された経度情報と詳細に表現された経度情報とをたし合わせるなどの演算を行うことにより、メイン送信所の正確な経度を得ることができるようにされる。このようにして、メインＩＤによって特定されるメイン送信所の位置を正確に検知することができるようにされている。
【００６８】
また、図４Ｃに示すように、サブ送信所の位置を示すデータは、メインＩＤ、サブフィールド数、サブＩＤフィールド１、…、からなっている。図４Ｃにおいて、Ｒｆｕは、将来の拡張のために設けられた空き領域である。そして、各サブＩＤフィールドは、図４Ｄに示すように、サブＩＤ、タイムディレイ（図４ＤにおいてはＴＤと記載）、緯度情報、経度情報とからなっている。この各サブＩＤフィールドの緯度情報、経度情報は、当該サブＩＤが従属するメイン送信所の位置からのずれ分である。
【００６９】
このため、メイン送信所の位置から、図４Ｄに示す各サブＩＤフィールドの緯度情報および経度情報に応じてずれた位置が、サブＩＤによって特定されるサブ送信所の位置である。このように、メイン送信所の位置を利用することによって、少ない情報で、そのメイン送信所に従属する関係にあるサブ送信所の位置を正確に特定することができるようにされている。
【００７０】
このようにＤＡＢの放送信号には、送信所識別情報（ＴＩＩ）、ＴＩＩのデータベースが多重化されており、受信したＤＡＢの放送電波については、どこの送信所から送信されたものであり、その送信所の位置を受信機が正確に検知することができる。
【００７１】
そこで、この発明によるこの実施の形態の受信機においては、以下に説明するように、ＤＡＢの放送電波の送信所の位置をも利用して、より簡単な操作で、しかも迅速かつ正確に目的とするＤＡＢの放送電波を選局したり、ＤＡＢの放送電波に多重化されて提供される複数の放送番組の中から目的とする放送番組を素早く選択して聴取することができるようにしている。
【００７２】
この実施の形態の受信機は、前述したように、ナビゲーション装置部２０、表示装置部３０を備えている。ナビゲーション装置部２０は、これに搭載されたＧＰＳ２２１を用いて、自己の現在位置を得る。アンテナ２１は、人口衛星からの電波を受信するＧＰＳ用のものである。そして、地図情報表示コントロール部２２は、ＧＰＳ２２１を用いることによって得た自己の現在位置を含む地図情報をＣＤ−ＲＯＭ１００から読み出し、これを表示装置部３０に供給し、表示装置部３０のＬＣＤ３１に地図を表示させるように制御する。
【００７３】
表示装置部３０は、ナビゲーション装置部２０からの地図情報をＬＣＤ３１の表示画面３１Ｄに表示するとともに、表示画面３１Ｄに表示した地図上に、ＧＰＳ２２１を用いて取得した自己の現在位置を示す表示を行う。
【００７４】
また、この実施の形態の受信機において、コントロール部１９は、受信選局したＤＡＢの放送電波から送信所位置情報、受信した放送電波の放送局名（アンサンブルラベル）、および、地域番組の番組名（プログラムラベル）などの放送に関する情報を抽出する。地域番組か否かの識別は、ＦＩＣにより伝送されてくる地域識別情報に基づいて行うことができる。
【００７５】
そして、コントロール部１９は、抽出した送信所位置情報に基づいて、送信所の位置を示すマーク、抽出した放送局名、地域番組の番組名のＬＣＤ３１の表示画面３１Ｄ上の表示位置を特定し、各情報の表示位置を示す表示位置情報と、前述の送信所の位置を示すマーク、放送局名、番組名を表示装置部３０に供給して、ＬＣＤ３１に表示した地図上に重ね合わせるように放送局の位置を示すマーク、放送局名、番組名を表示するように制御する。
【００７６】
表示装置部３０は、コントロール部１９からの表示位置情報、送信所の位置を示すマーク、放送局名、番組名に基づいて、表示画面３１Ｄに表示されている地図上に、送信所の位置を示すマーク、その送信所から送信されている放送電波の放送局名、地域番組の番組名を表示する。
【００７７】
図５は、表示装置部３０の表示画面３１Ｄに表示される画像情報の表示例を説明するための図である。表示装置部３０は、コントロール部１９からの送信所の位置を示すマークと、このマークの表示位置情報とに基づいて、ＬＣＤ３１の表示画面３１Ｄに表示した地図上に、受信したＤＡＢの放送電波の送信所の位置を表示する。図５の例の場合には、マークＭＫ１〜ＭＫ６が送信所の位置を示すものである。
【００７８】
また、表示装置部３０は、コントロール部１９からの放送局名と、この放送局名の表示位置情報とに基づいて、その送信所の位置を示すマークの近傍に、その送信所から送信されている放送電波の放送局名を表示する。また、その受信選局した放送電波に地域番組が多重化されている場合には、地域番組の番組名と、この番組名の表示位置情報も送信されてくるので、表示した地図上にこの番組名も表示するようにする。
【００７９】
図５においては、文字表示情報のうちの最上段の表示、例えば、表示ＡＬ１、ＡＫ２が放送局名であり、放送局名の下側の表示、例えば、表示ＳＬ１、ＳＬ２、ＳＬ３が地域番組の番組名である。この例においては、放送局名しか表示されていない場合には、その送信所から送信されている放送電波によっては、地域番組は放送されていないことを示している。
【００８０】
そして、この実施の形態に受信機においては、放送局名の表示位置と、その放送局名に対応する放送電波を選局するための周波数情報などの選局情報とを対応付けてコントロール部１９のＲＡＭ１９３に記憶する。また、地域番組の番組名を表示した場合には、その番組名の表示位置と、その放送番組が多重化されている放送電波の選局情報と、その地域番組を選択するための情報であるサービスＩＤなどの番組選択情報とを対応付けてコントロール部１９のＲＡＭ１９３に記憶する。
【００８１】
ここで、表示位置情報は、前述したように、表示装置部３０に供給するために、コントロール部１９において、放送電波から抽出するようにされる送信所の位置情報に基づいて、コントロール１９において生成されるものであり、また、選局情報も、チューナ部１２を制御するために、コントロール部１９によって、管理されている情報である。また、サービスＩＤなどの番組選択情報は、受信した放送電波のＦＩＣから抽出されるものである。
【００８２】
なお、この実施の形態の受信機において、地域番組の番組名を表示するとともに、この地域番組の番組名の表示位置と、選局情報、選択情報とを対応付けてコントロール部１９のＲＡＭ１９３に記憶するようにするのは、地域番組を簡単な操作で確実に選択し聴取することができるようにするためである。
【００８３】
つまり、地域番組は、特定の地域に対して放送するようにされるものであり、例えば、特定の地域の交通情報などが地域番組として放送するようにされている。このため、この実施の形態の車載用の受信機が搭載された自動車が走行している場合などにおいては、移動先の地域の交通情報などの地域番組を聴取したい場合が多い。
【００８４】
そこで、自己の現在位置において受信可能な地域番組を簡単な操作で確実に選択し聴取することができるようにするため、地域番組の番組名の表示、および、番組名の表示位置、選局情報、選択情報を対応付けてコントロール部１９のＲＡＭ１９３に記憶させるようにしている。
【００８５】
そして、図１、図２を用いて前述したように、表示装置部３０の表示画面３０Ｄには、タッチパネル３１Ｔが設けられている。このタッチパネル３１Ｔに使用者が指などで触れると、タッチパネル３１Ｔおよび座標検出部３２により、表示画面３１上においての接触位置の座標を検出する。この検出した座標は、選択指示情報としてコントロール部１９に供給される。
【００８６】
例えば、図５において、放送局名ＡＬ２の表示位置に使用者の指などが接触するようにされると、その接触位置の座標が、コントロール部１９に返される。コントロール部１９は、座標検出部３２からの座標情報に基づいて、コントロール部１９のＲＡＭ１９３に、放送局名あるいは番組名の表示位置（座標情報）と対応付けられている選局情報、あるいは、選局情報と選択情報とを検索する。
【００８７】
つまり、コントロール部１９は、座標検出部３２の座標情報と、自己のＲＡＭ１９３に記憶保持している放送局名あるいは番組名の表示位置を示す座標情報とのおおよその一致を取るようにして、選択された表示情報を検知する。例えば、コントロール部１９のＲＡＭ１９３に記憶保持される放送局名あるいは番組名の表示位置を示す座標情報は、放送局名、番組名の表示領域の対角線上の２点の座標情報を保持することにより、表示画面上の表示領域を示すようにしておき、座標検出部３２からの座標情報が、前述の２点の座標で示される領域内にあるか否かを検知するようにすることにより、どの表示情報が選択されたかを検知する。
【００８８】
そして、検知した表示情報の表示位置に対応付けられた選局情報、あるいは、選局情報と番組選択情報とを読み出す。選局情報は、チューナ部１２に供給され、目的とするＤＡＢの放送電波が選局するようにされる。また、番組選択情報は、ビタビデコード部１５に供給されて、選局されたＤＡＢの放送電波から、目的とする放送番組のオーディオデータが抽出され、ＭＰＥＧデコード部１６に供給するようにされる。
【００８９】
なお、この実施の形態の受信機においては、現在位置において受信選局可能なＤＡＢの放送電波のすべてを、表示画面３１Ｄに表示される地図上に表示するようにするため、使用者からの操作に応じて、受信選局可能な放送電波を検出するスキャニング処理を行うことができるようにされている。
【００９０】
このスキャニング処理は、コントロール部１９からの選局制御信号によって、チューナ部１２において選局する放送電波の周波数を少しずつ変えて、実際に選局処理を行って、選局可能な放送電波を検出するようにする。このとき、放送電波を選局することができたときには、コントロール部１９は、前述のように、送信所識別情報の検出、送信所位置情報、放送局名、番組名、番組ＩＤなどの放送に関する情報のＩＦＣからの抽出、抽出した情報に応じた情報の表示画面３１Ｄへの表示、必要な情報のＲＡＭ１９３への格納などの処理を行う。
【００９１】
図５に示した例の場合には、６つの送信所からの放送電波を受信することができる場合である。このうち、マークＭＫ２、マークＭＫ４、マークＭＫ６が示す位置の送信所からは、同じ放送局の放送電波が送信するようにされている。ＤＡＢの場合には、同じ放送局の同じ周波数の放送電波を比較的に近くに位置する複数の送信所から送信する単一周波数ネットワーク（ＳＦＮ：Ｓｉｎｇｉｅ  Ｆｒｅｑｕｅｎｃｙ  Ｎｅｔｗｏｒｋ）を形成するようにされている。
【００９２】
このため、マークＭＫ２、マークＭＫ４、マークＭＫ６が示す位置の送信所からの放送電波は、選局周波数を変えることなく受信することができるとともに、そのそれぞれの送信所の位置を特定することかできるようにされている。
【００９３】
また、地域放送を行っていない放送電波の場合には、例えば、放送局名ＡＬ２が示すように放送局名しか表示されない。このような、いわゆる広域放送番組だけの放送電波の場合には、放送局名の表示位置を指示することにより、その放送局名に対応する放送電波を自動選局した後、その放送電波により提供される複数の放送番組の中から１つの放送番組を選択するための番組一覧リストが、表示画面３１Ｄに表示するようにされ、好みの放送番組を選択することができるようにされる。
【００９４】
このように、この実施の形態の受信機は、受信可能な放送電波を送信している送信所の位置を、表示画面３１Ｄに表示した地図上で確認することができるとともに、目的とする放送電波、あるいは、地域番組を表示画面に触れるという簡単な操作で、選局、あるいは、番組選択することができるようにされている。
【００９５】
また、送信所の位置を表示画面に表示した地図上で正確に知ることができるので、例えば、これから向かう方向の送信所から送信されている放送電波を選局することができるようにされる。例えば、遠ざかる方向の送信所からの放送電波を、これから向かう方向の送信所からの受信電波と勘違いして選局するなどということがない。また、自己の現在位置において受信可能な目的とする地域の地域番組を簡単な操作で確実に選択して聴取することができる。
【００９６】
なお、この実施の形態においては、送信所の位置を示すマーク、放送局名、番組名を表示するようにしたが、例えば、送信所の位置を示すマークだけを表示するようにしたり、放送局名だけを表示するようにしたり、あるいは、送信所の位置を示すマークと放送局名とを表示するようにして、地域番組の番組名は表示しないようにすることもできる。
【００９７】
このようにした場合であっても、現在位置において受信選局可能な放送電波を地図上において確認し、これから自己が向かう方向の送信局の放送電波を選局するようにすることができる。
【００９８】
［エリア、エリア名称の表示について］
ところで、地域番組が放送するようにされている場合、その地域番組がどの地域に対して放送されているか、つまり、地域番組のサービスエリアが分かった方がより便利である。地域番組のサービスエリアが分かれば、その地域番組が、この実施の形態の受信機の使用者が必要とする地域を対象とする地域番組か否かを容易に認識でき、異なった地域の地域番組を誤って聴取するようなこともなくなる。
【００９９】
そして、ＤＡＢの場合、放送電波の各フレームのＦＩＣにより、放送番組毎に、その放送番組のサービスエリアの地理的情報や、サービスエリアの名称などが、放送に関する情報として送信するようにされている。このため、この実施の形態の受信機においては、放送電波に含まれる放送番組のサービスエリアの地理的情報やサービスエリアの名称などを表示画面３１Ｄに表示した地図上に表示することができるようにしている。
【０１００】
図６、図７、図８は、ＤＡＢの放送電波のＦＩＣによって伝送するようにされる放送番組のサービスエリアについての情報を説明するための図である。このうち図６は、放送番組ごとのサービスエリアを示すローカルサービスエリア情報のフォーマットを示し、図７は、サービスエリアの名称を提供する地域ラベルのフォーマットを示している。また、図８は、実際に放送番組のサービスエリアを特定するための地域識別情報のフォーマットを示している。
【０１０１】
また、図６、図７、図８に記載した、ＦＩＧ−０−２３、ＦＩＧ−１−３、ＦＩＧ−０−１１のそれぞれは、Ｅｕｒｅｋａ１４７においてのデータフォーマットのタイプ番号である。
【０１０２】
そして、ＤＡＢにおいては、図６に示すように、その放送電波に多重化された各放送番組のサービスエリアを示すローカルサービスエリア情報が伝送するようにされている。このローカルサービスエリア情報は、図６に示すように、各放送番組に１対１に対応するサービスＩＤと、サービスＩＤによって特定される放送番組のサービスエリアを特定するための地域ＩＤとからなるものである。図６において、Ｒｆａは、将来の拡張のために設けられている空き領域である。
【０１０３】
また、図７に示すように、地域ラベルは、地域ＩＤの下位部（下位６ビット分）と、地域の名称を提供するキャラクタフィールド、および、キャラクタフラグフィールドからなっている。したがって、聴取するようにした放送番組のサービスＩＤに基づいて、ローカルサービスエリア情報を得て、ローカルサービスエリア情報の地域ＩＤの下位部に基づいて、その放送番組のサービスエリアの地域ラベルを得ることにより、その放送番組のサービスエリアの名称を得ることができる。
【０１０４】
また、図８に示すフォーマットで送信されてくる地域識別情報は、図８Ａに示すように、ＦＩＣは、エリアタイプ、地域ＩＤに応じて異なる地域識別情報を送信するために複数の区間に区切られる。ＦＩＣの区切られた区間によって伝送するようにされる地域識別情報は、図８Ｂに示すように、エリアタイプ、地域ＩＤ、地理的地域情報とからなっている。
【０１０５】
地理的地域情報は、放送番組のサービスエリアが実際にどのようなエリアであるかを示す情報である。この地理的地域情報には、ＴＩＩのグループ、すなわち、メイン送信所と複数のサブ送信所とにより形成されるトランスミッショングループにより、放送番組のサービスエリアを特定するようにするＴＩＩリストと、緯度情報と経度情報とにより形成される矩形エリアによって、サービスエリアを特定するようにする矩形地域情報とがある。
【０１０６】
ＴＩＩリストと矩形地域情報とは、これらの情報の違いは、エリアタイプによって識別することができるようにされている。すなわち、地理的地域情報がＴＩＩリストである場合には、エリアタイプは「００００」であり、地理的地域情報が矩形地域情報である場合には、エリアタイプは「０００１」である。
【０１０７】
そして、図８Ｃに示すように、ＴＩＩリストは、ＴＩＩリストの長さと、複数のトランスミッショングループとからなり、各トランスミッショングループは、図８Ｄに示すように、メインＩＤ、サブＩＤリストの長さ、サブＩＤリストからなっている。
【０１０８】
サブＩＤリストは、図８Ｅに示すように、メインＩＤにより示される送信所に従属する複数のサブ送信所のサブＩＤからなっている。そして、このＴＩＩリストによって、地域ＩＤによって示されるサービスエリアが、メイン送信所と、サブ送信所とによって特定するようにされる。
【０１０９】
図８Ｆに示すように、矩形地域情報は、サービスエリアに対応する矩形地域の対角線上の一方の頂点の位置を示す緯度情報（ｃｏｅｒｓｅ）、経度情報（ｃｏｅｒｓｅ）と、他方の頂点の位置を示す緯度情報（Ｅｘｔｅｎｔ）、経度情報（Ｅｘｔｅｎｔ）とからなっている。この矩形地域情報によって、地域ＩＤによって示されるサービスエリアが、矩形エリアとして特定するようにされる。
【０１１０】
そして、この実施の形態の受信機においては、地域番組が多重化されており、その地域番組の番組名を表示するようにした場合には、その地域番組のサービスエリアをも表示画面３１Ｄの地図上に表示する。
【０１１１】
つまり、コントロール部１９は、受信選局した放送電波のＦＩＣから抽出するローカルサービスエリア情報から、地域番組のサービスＩＤを有するローカルサービスエリア情報を検出する。そして、この検出したローカルサービスエリア情報の地域ＩＤ情報に基づいて、ＦＩＣから抽出する地域識別情報から地理的地域情報を検出する。この地理的地域情報が、当該地域番組のサービスエリアを特定する情報である。
【０１１２】
そして、コントロール部１９は、検出した地理的地域情報を表示装置部３０に供給し、地域番組のサービスエリアを矩形領域として表示装置部３０の表示画面３１Ｄに表示する。図９は、地理的地域情報として、エリアタイプが「０００１」の矩形地域情報を用いて、番組名がＢＣ−１のサービスエリアを表示するようにした場合の表示例を説明するための図である。
【０１１３】
前述したように、サービスＩＤを用いて順に検出される地域識別情報の矩形地域情報（図８Ｆ）に基づいて、図９に示すように、表示画面３１Ｄに表示した地図上に、地域番組ＢＣ−１のサービスエリアＳＡが表示画面に表示される。これにより、使用者は、地域番組のサービスエリアを表示画面上において確認することができる。そして、目的とする地域に対する地域番組を即座に認識し、簡単な操作で確実に選択することができる。
【０１１４】
また、地域番組のサービスＩＤを用いて、前述した対応する地域ラベル（図７）を検出し、これを表示装置部３０に供給することによって、図９に示すように、表示装置部３０の表示画面３１Ｄにサービスエリア名ＮＭを表示するようにすることもできる。
【０１１５】
そして、地域番組が多数放送されている場合には、各地域番組についてのサービスエリア、サービスエリア名が、前述したように、サービスエリア情報、地域識別情報、地域ラベルより検出され、それぞれの地域番組のサービスエリアが、表示画面３１Ｄに表示した地図上に表示されることになる。
【０１１６】
また、地理的地域情報として、エリアタイプが「００００」のＴＩＩリストを用いるようにすることももちろんできる。この場合には、前述したように、ＴＩＩリストの情報のメインＩＤと、サブＩＤとから、メイン送信所、サブ送信所の位置を特定し、選択した地域番組のサービスエリアを表示するようにすることができる。
【０１１７】
これにより、複数の地域番組のそれぞれについて、どの地域のサービスを提供しているかが、視覚を通じて確認することができるため、使用者は、容易に目的の地域の地域番組を選択することができる。
【０１１８】
また、地域番組のサービスエリアやサービスエリア名を初めから表示するのではなく、地域番組が選択されたときに、その選択された地域番組のサービスエリアやサービスエリア名を表示させるようにすることもできる。このようにした場合には、選択した地域番組が目的とする地域の地域番組か否かを視覚を通じて確実に確認することができる。
【０１１９】
なお、放送番組や番組名の表示は、前述の実施の形態のように文字情報により表示するものに限るものではない。例えば、放送局名や番組名に対応したアイコンや、文字形状などによって、放送局名や番組名を表示するようにしてもよい。また、受信選局した放送電波の周波数情報や、放送局のロゴマークなど、放送電波についての各種の関連情報を、放送電波から抽出する位置情報に応じた地図上の位置に表示するようにするようにしてもよい。
【０１２０】
この場合、例えば放送局のロゴマークやアイコンなど、放送電波に多重化されていない情報については、選局情報に対応付けて、受信機のメモリに予め記憶させておくようにすればよい。
【０１２１】
また、地域番組の番組名を表示するようにするのではなく、地域番組が多重化されている放送電波の放送局名と、地域番組が多重化されていない放送局名とを表示色を変えて表示することにより、地域番組が多重化されている放送電波はどの送信所から送信しているかを通知するようにしてもよい。
【０１２２】
また、地域番組が多重化されている放送電波の放送局名を反転表示したり、点滅表示するなどして、地域番組が多重化されている放送電波はどの送信所から送信しているかを通知するようにしてもよい。
【０１２３】
また、例えば、送信所の位置を示すマークと、その送信所から送信されている放送電波の周波数情報とを表示するようにしておけば、送信所の位置を地図上で視覚を通じて認識することができるとともに、表示された周波数情報に基づいて、放送電波を選局するようにすることができる。
【０１２４】
また、送信所の位置を示すマークと、地域番組にサービスＩＤなどの地域番組の選択情報を表示するようにしておけば、送信所の位置を地図上で視覚を通じて認識することができるとともに、表示された番組選択情報に基づいて、目的とする地域番組を選択するようにすることができる。
【０１２５】
このような場合には、放送局名の表示位置と選局情報を対応付けてメモリに記憶しておくようにしたり、あるいは、地域番組の番組名の表示位置と、選局情報、番組選択情報を対応付けてメモリに記憶しておく必要はない。
【０１２６】
また、前述の実施の形態の受信機においては、ナビゲーション装置部２０に搭載されたＧＰＳ２２１を用いることによって、自己の現在位置を検出して、自己の現在位置を含む地図情報を表示装置部の表示画面３１に表示するようにしたが、ＧＰＳを用いないようにすることもできる。
【０１２７】
つまり、ＤＡＢの場合、前述もしたように単一周波数ネットワーク（ＳＦＮ）が形成され、同じ周波数のＤＡＢの放送電波が、複数の送信所から送信するようにされている。このため、周波数の同じＤＡＢの放送電波を選局しても、複数の送信所からのＤＡＢの放送電波を受信選局するようにされる。
【０１２８】
しかし、各送信所と受信機との距離は異なるので、各送信所からの放送電波が受信機に到達する時間がずれる。このずれ分（位相差）を検出し、このずれ分と、各送信所の位置情報とに基づいて、当該受信機の位置を比較的正確に検知することができる。そして、検知した現在位置を、地図情報が格納されたＣＤ−ＲＯＭから、その検知した現在位置を含む地図情報を読み出して、表示画面に表示するようにすることもできる。
【０１２９】
また、図５に示したように、表示画面に表示される放送局名や番組名が使用者により選択された場合には、選択された放送局名や番組名を反転表示するなど、どの放送電波あるいはどの地域番組が選択されたかを明確に使用者に通知できるようにすることもできる。また、地域番組が選択された場合には、選択された地域番組のサービスエリアを示す表示を他の地域番組のサービスエリアを示す表示と色を変えて表示したり、選択された地域番組のサービスエリアだけを表示するようにすることももちろんできる。
【０１３０】
また、地域番組が放送されていない広域放送の放送電波を表示画面から選局するようにしたときには、前述したように、その放送電波により送信するようにされる放送番組の一覧リストが表示され、放送番組の選択ができるようにされる。そして、放送番組の一覧リストから放送番組が選択された後においては、図５に示したような地図情報、送信所の位置を示すマーク、放送局名、番組名が表示された表示画面に戻り、表示装置部３０の表示画面に表示された地図上において、放送電波の選局や放送番組の選択ができるようにすることもできる。
【０１３１】
また、前述の実施の形態の受信機においては、表示画面にタッチパネルを設けておくことにより、表示画面に触れるという簡単な操作で放送電波の選局や放送番組の選択を行うようにしたが、これに限るものではない。例えば、表示画面上の位置を指示するためのカーソルを表示させると共に、このカーソルを画面上において、上下左右に移動させるためのカーソル移動用の操作キーを設けておき、この操作キーを用いてカーソルを移動させるようにして放送電波、番組の選局、選択を行うようにすることもできる。
【０１３２】
カーソルの移動用の操作キーは、いわゆるトラックボールなどと呼ばれるものであってもよい。つまり、表示画面において、目的とする位置を指示することができるようにされる各種のポインティングデバイスを用いるようにすることができる。
【０１３３】
また、前述の実施の形態においては、車載用の受信機にこの発明を適用した場合を例にして説明したが、車載用の受信機に限るものではない。例えば、携帯用の受信にこの発明を適用することもできるし、家庭などにおいて用いられるいわゆる設置型の受信機にもこの発明を適用することができる。
【０１３４】
そして、例えば、設置型の受信機の場合には、前述した地域番組に変えて、使用者の好みの種類の番組を選択可能なように番組名を地図上に表示させるなどのことができる。つまり、ＤＡＢの場合には、放送電波に多重化された放送番組の種類、例えば、ニュース番組、スポーツ番組、音楽番組などを区別することができる情報が前述したＦＩＣにより送信するようにされるので、好みの放送番組を放送している送信所の位置と、その送信所から送信されている放送電波の放送局名、使用者の好みの番組の番組名などを地図上に表示し、視覚を通じて、より分かり安く放送電波の選局や放送番組の選択を行えるようにすることができる。
【０１３５】
【発明の効果】
以上説明したように、この発明によれば、受信選局可能な放送電波を送信している送信所の位置を地図上に表示させることにより、目的とする地域の送信所からの放送電波を速やかにかつ確実に選局することができる。また、特定の地域を対象とした地域番組を簡単な操作で確実に選局することができる。
【図面の簡単な説明】
【図１】この発明による受信機の一実施の形態を説明するためのブロック図である。
【図２】図１に示した受信機の外観を説明するための図である。
【図３】ＤＡＢの放送電波のフレーム構造を説明するための図である。
【図４】ＤＡＢの放送電波のＦＩＣ（ファーストインフォメーションチャンネル）によって送信されてくるＴＩＩのデータベースを説明するための図である。
【図５】送信所の位置、放送局名、番組名の表示例を説明するための図である。
【図６】ＤＡＢの放送電波のＦＩＣによって送信されてくるローカルサービスエリア情報を説明するための図である。
【図７】ＤＡＢの放送電波のＦＩＣによって送信されてくる地域ラベル情報を説明するための図である。
【図８】ＤＡＢの放送電波のＦＩＣによって送信されてくる地域識別情報を説明するための図である。
【図９】地域番組のサービスエリアの表示例を説明するための図である。
【符号の説明】
１０…受信装置部、１１…アンテナ、１２…チューナ部、１３…Ａ／Ｄ変換部、１４…ＦＦＴ（高速フーリエ変換）部、１５…ビタビデコード部、１６…ＭＰＥＧデコード部、１７…Ｄ／Ａ変換部、１８…スピーカ、１９…コントロール部、１９３…ＲＡＭ、２０…ナビゲーション装置部、２１…アンテナ、２２…地図情報表示コントロール部、ＧＰＳ…２２１、３０…表示装置部、３１…ＬＣＤ（液晶ディスプレイ）、３１Ｔ…タッチパネル、３２…座標検出部
【図１】
0004102952.tif 000002
【図２】
0004102952.tif 000003
【図３】
0004102952.tif 000004
【図４】
0004102952.tif 000005
【図５】
0004102952.tif 000006
【図６】
0004102952.tif 000007
【図７】
0004102952.tif 000008
【図８】
0004102952.tif 000009
【図９】
0004102952.tif 000010